(57)【要約】  円筒状の缶胴に沿って延在するシームを溶接するために用いられる溶接ステーションを制御するための装置であり、溶接ステーショが、一対の溶接ロールと、溶接中に所望のシリンダオーバーラップを生じさせるための較正ユニットとを含む。当該較正ユニットは、少なくとも３つの異なる調整軸に沿って調整可能である。装置は、溶接されているシームを監視して、当該シームの長さに沿った一連の所定のポイントにおける溶接厚さを示す電気信号を提供するように構成された溶接モニタと；電気信号を受信し、且つ、信号に応答して１以上の制御電気信号を生成するように構成されたコントローラと；較正ユニットに接続されるための、又は較正ユニットの一部を形成するための複数の調整機構と、を備えている。当該調整機構は、制御電気信号（複数可）を受信するように構成され、且つ、制御電気信号（複数可）に応答して、較正ユニットを３つの調整軸のうちの１以上に対して調整して、所望のシリンダオーバーラップ及び／又は所望の溶接品質を提供するように構成されている。
2022500251.tif 000002
【特許請求の範囲】
【請求項１】
円筒状の缶胴に沿って延在するシームを溶接するために用いられる溶接ステーションを制御するための装置であって、前記溶接ステーションが、一対の溶接ロールと、溶接中に所望のシリンダオーバーラップを生じさせるための較正ユニットとを含み、前記較正ユニットが、少なくとも３つの異なる調整軸に沿って調整可能であり、前記装置が、
溶接されているシームを監視して、前記シームの長さに沿った一連の所定のポイントにおける溶接厚さを示す電気信号を提供するように構成された溶接モニタと、
前記電気信号を受信し、且つ、前記信号に応答して１以上の制御電気信号を生成するように構成されたコントローラと、
前記較正ユニットに接続されるための、又は前記較正ユニットの一部を形成するための複数の調整機構と、を備え、前記調整機構が、前記制御電気信号（複数可）を受信するように構成され、且つ、前記制御電気信号（複数可）に応答して前記較正ユニットを、前記３つの調整軸のうちの１以上に対して調整して、前記所望のシリンダオーバーラップ及び／又は所望の溶接品質を提供するように構成されている前記装置。
【請求項２】
前記溶接厚さを示す信号が、前記溶接ロールの一方又は両方の回転軸の変位を示す信号から導出される、請求項１に記載の装置。
【請求項３】
前記溶接厚さを示す信号が、前記溶接ロールの偏心、及び／又は、前記溶接ロールと溶接されるべきシリンダとの間に位置する消耗ワイヤのプロファイルの変化に対する補償を含む、請求項２に記載の装置。
【請求項４】
前記溶接厚さを示す信号が、一連の溶接された缶胴における前記一連の所定のポイントの平均又はその他の統計的に導出された溶接厚さを示す信号である、請求項１〜３のいずれか一項に記載の装置。
【請求項５】
少なくとも４つの所定のポイントが連続して存在し、これらが、任意選択的に、前記シリンダのリーディング端、前記シームの長さの中央、前記シリンダのトレーリング端、及びフリップ位置を含む、請求項１〜４のいずれか一項に記載の装置。
【請求項６】
前記電気信号が、さらに、前記シームの長さ全体に沿って平均化された溶接厚さを示している、請求項５に記載の装置。
【請求項７】
前記コントローラが決定システムを含み、前記決定システムが、前記電気信号と、前記調整機構のうちの１以上の現在位置とを含む入力を受信するように構成され、且つ、前記調整機構のうちの１以上に対する必要な調整を出力として計算するように構成されている、請求項１〜６のいずれか一項に記載の装置。
【請求項８】
前記決定システムが、前記一連の所定のポイントの各々における溶接厚さを、そのポイントの目標溶接厚さと比較し、前記所定のポイントの１以上が前記目標溶接厚さから逸脱している場合にその逸脱を修正するために必要な調整を計算するように構成されている、請求項７に記載の装置。
【請求項９】
前記調整機構が、前記制御信号（複数可）に応答して、前記溶接ステーションを通る前記シリンダの移動方向に対する前記較正ユニットのローラの半径方向位置と；各溶接ロールの中心を通る線に垂直な調整軸に沿った、前記較正ユニットの長手方向位置と；前記ローラの半径方向位置及び前記較正ユニットの長手方向位置の組合せとを調整する、請求項１〜８のいずれか一項に記載の装置。
【請求項１０】
前記調整機構の１つが、前記制御信号（複数可）に応答して、前記較正ユニットの鉛直方向位置を、各溶接ロールの中心を通る線に平行な調整軸に沿って調整する、請求項１〜９のいずれか一項に記載の装置。
【請求項１１】
前記調整機構の１つが、前記較正ユニットのローラの前記半径方向位置を、符号化されたモータ及びギアボックスを用いて動作可能な協働二重ねじシステムを使用して調整するように構成されている、請求項９又は１０に記載の装置。
【請求項１２】
前記コントローラが、閉ループコントローラ、例えば比例−積分−微分コントローラである、請求項１〜１１のいずれか一項に記載の装置。
【請求項１３】
請求項１〜１２のいずれか一項に記載の装置を含む溶接ステーションであり、所望の溶接品質を維持するように構成された閉ループ制御システムを組み込んでいる、溶接ステーション。
【請求項１４】
円筒状の缶胴に沿って延在するシームを溶接するために使用される溶接ステーションを制御する方法であって、前記溶接ステーションが、一対の溶接ロールと、溶接中に所望のシリンダオーバーラップを生じさせるための較正ユニットとを含み、前記方法が、
溶接されているシームを監視して、シームの長さに沿った一連の所定のポイントにおける溶接厚さを示す電気信号を提供するステップと、
前記溶接されているシームの溶接品質を示す前記電気信号に応答して１以上の制御電気信号を生成するステップと、
前記１以上の制御電気信号を、３つの調整軸のうちの１以上に対して前記較正ユニットを調整するように構成された複数の調整機構のうちの１以上に提供し、それにより前記所望のシリンダオーバーラップを生じさせるステップと、を含む、方法。
【請求項１５】
前記溶接厚さを示す信号が、前記溶接ロールの一方又は両方の回転軸の変位を示す信号から導出される、請求項１４に記載の方法。
【請求項１６】
前記溶接厚さを示す信号が、前記溶接ロールの偏心、及び／又は、前記溶接ロールと溶接されるべきシリンダとの間に位置する消耗ワイヤのプロファイルの変化に対する補償を含む、請求項１５に記載の方法。
【請求項１７】
前記溶接厚さを示す信号が、一連の溶接された缶胴における前記一連の所定のポイントの平均又はその他の統計的に導出された溶接厚さを示す信号である、請求項１４〜１６のいずれか一項に記載の方法。
【請求項１８】
４つの所定のポイントが連続して存在し、これらが、任意選択的に、前記シリンダのリーディング端、前記シームの中央、前記シリンダのトレーリング端、及びフリップ位置を含む、請求項１４〜１７のいずれか一項に記載の方法。
【請求項１９】
電気信号が、さらに、前記シームの全体に沿って平均化された溶接厚さを示す、請求項１８に記載の方法。
【請求項２０】
前記１以上の制御電気信号を生成するステップが、前記調整機構のうちの１以上の位置に関する電気信号及び入力を受信して、前記調整機構のうちの１以上に対する必要な調整を出力として計算するステップを含む、請求項１４〜１９のいずれか一項に記載の方法。
【請求項２１】
前記１以上の制御電気信号を生成するステップが、一連の所定のポイントの各々における溶接厚さを、そのポイントの目標溶接厚さと比較し、前記所定のポイントの１以上が前記目標溶接厚さから逸脱している場合に、その逸脱を修正するために必要な調整を出力として計算するステップを含む、請求項２０に記載の方法。
【請求項２２】
前記調整機構が、前記制御信号（複数可）に応答して、前記溶接ステーションを通る前記シリンダの移動方向に対する前記較正ユニットのローラの半径方向位置と；各溶接ロールの中心を通る線に垂直な調整軸に沿った、前記較正ユニットの長手方向位置と；前記ローラの半径方向位置及び前記較正ユニットの長手方向位置の組合せと、を調整する、請求項１４〜２１のいずれか一項に記載の方法。
【請求項２３】
前記調整機構の１つが、前記制御信号（複数可）に応答して、前記較正ユニットの鉛直方向位置を、各溶接ロールの中心を通る線に平行な調整軸に沿って調整する、請求項１４〜２２のいずれか一項に記載の方法。
【請求項２４】
前記調整機構の１つが、前記較正ユニットのローラの前記半径方向位置を、符号化されたモータ及びギアボックスを用いて動作可能な協働二重ねじシステムを使用して調整する、請求項２２又は２３に記載の方法。
【請求項２５】
溶接厚さの閉ループ制御を提供する、請求項１４〜２４のいずれか一項に記載の方法。
【発明の詳細な説明】
【技術分野】
【０００１】
本発明は、缶胴の溶接に関するものであり、具体的には、溶接されているシームの品質を、溶接プロセスの閉ループフィードバック及び調整を提供することにより監視及び制御するための方法及び装置に関するものである。
【背景技術】
【０００２】
典型的な３ピース缶は、円筒形の缶胴（ｃａｎ  ｂｏｄｙ）を含み、上端及び下端が缶胴に継ぎ合わせ（シーム）されている。缶胴は、平坦な矩形のブランクを、ブランクの縁が重なり合うように丸めてシリンダ（円筒体）にすることにより形成される。次いで、シリンダは、缶胴の長手方向シームが溶接されるように、対向する溶接ロールに通される。溶接ロールは電極として機能し、シリンダ金属に大電流を流して、シリンダの重なり合った端部を、間隔を有し且つ重なり合った（ｓｐａｃｅｄ  ｙｅｔ  ｏｖｅｒｌａｐｐｉｎｇ）一連の溶接ナゲットにて互いに溶接する。一般的には、平坦化された銅線が溶接ロールの各々の周囲に配置されて、溶接ロールの表面を保護するための犠牲電極として機能する。典型的なセットアップにおいて、連続した銅線が溶接ロールの第１溶接ロールに供給され、次いで第２溶接ロールに供給される。第１溶接ロールから第２溶接ロールへの移動の過程で、シリンダに露出されている銅の側面が逆にされる。ワイヤは、第２溶接ロールを離れた後に切断されて廃棄される。
【０００３】
一対の溶接ロールを含み、一般的にその一方が駆動される溶接ステーションは、また、シリンダを溶接ロールにガイドする、いわゆるＺバーを含み得る。Ｚバーは、シリンダの端部が溶接ロールの手前で適切なオーバーラップ（重なり）構造にされるように構成されている。シリンダは、駆動チェーンに埋め込まれたプッシャのセット又は機械的なプッシュシステムにより、Ｚバーに沿って溶接ステーションに押し込まれる。較正ユニットが、Ｚバーの端部と溶接ロールとの間に配置されており、シリンダが溶接ロールに入る際に、シリンダの最終直径、そしてそれにより、シリンダ縁のオーバーラップ量を制御する。典型的な較正ユニットは、金属シリンダの移動軸を中心として配置されたローラのセット（例えば７個）を含む。これらのローラの面が一緒に、この軸を中心とした円形の通路を画成している。１以上のローラを半径方向に移動させることが可能なことにより、通路の円周を調整できる。この調整は、通常、手動で行われる。
【０００４】
十分で且つ一定の溶接品質を維持することが、いかなる缶の生産ラインにおいても非常に重要であることは明らかである。品質は、通常、溶接厚さに関係する。溶接が薄過ぎると製品が漏れやすくなり、且つ／又は容易に破損する、一方、溶接が厚過ぎると材料の使用が効率的でなくなり、従って製品コストが増大する。また、溶接が薄過ぎると溶接が脆弱になり過ぎ、その他の溶接の欠陥も生じさせる。一方、溶接が厚過ぎると、シリンダが漏れやすくなる。
【０００５】
溶接厚さは、シリンダ本体のオーバーラップの程度に関係している。オーバーラップが少なければ溶接厚さが減少し、オーバーラップが大きければ溶接厚さが増大する。溶接ロールにて受け入れられる材料の量が多いほど抵抗が大きくなり、従って、同一の電流及び加えられる力により達成される「マッシュ」の程度（すなわち、溶接前と溶接後との材料の厚さの変化）が減少するであろう。標準的なオーバーラップは、０．４ｍｍ〜０．５ｍｍの範囲であり得る。一般的に、結果として得られる溶接の厚さは、入ってくる金属板の厚さの約１．４倍になる。
【０００６】
伝統的に、溶接厚さの検査は、製造された缶胴を手動の目視検査することにより行われていた。オーバーラップ量及び押し出し量を補正するために調整を行うことはできるが、適切な技能や溶接プロセスの明確な理解に乏しいようなユーザが不適切な調整を行うことも多い。すると、調整方法は試行錯誤のプロセスになる。また、手動での調整は機械のダウンタイムをもたらすことが多いため、生産性を低下させる。しかし、調整プロセスを制御又は補助するための数々の既知の方法がある。
【０００７】
特許文献１は、溶接品質を監視するための溶接モニタを記載しており、このモニタは、溶接ロールにおける電圧、又は、各溶接ナゲットにより吸収された平均電力（溶接電力）の測定に依存する。その結果がライン作業者にグラフィカルディスプレイ上で提示され得る。作業者は、所望の溶接品質を達成するために、経験に基づいて較正ユニットの調整ができる。この技術分野に関連するその他の刊行物は、以下のものを含む、すなわち、溶接プロセス中に消費される相対的な電力を測定するための装置を記載した特許文献２、及び、電気溶接、特に３ピース缶用の管状体の長手方向シームの交流抵抗溶接に関する特許文献３である。
【先行技術文献】
【特許文献】
【０００８】
【特許文献１】欧州特許出願公開第０４６５０３８号明細書
【特許文献２】米国特許第４３７６８８４号明細書
【特許文献３】米国特許第４４４９０２８号明細書
【発明の概要】
【発明が解決しようとする課題】
【０００９】
本発明の目的は、溶接モニタなどのシステムからのデータ、機械設定、データム位置を集めて処理する方法及び装置を提供することであり、この方法及び装置は、これらのデータを処理して較正ユニットのための修正調整に利用し、この修正調整により、所望の溶接品質が、手動入力をせずに又は最小限にして自動的に保証される。その結果、本発明の実施形態は、所与の溶接品質のために、必要なシャットダウンを少なくする缶の生産ラインをもたらし得る。
【課題を解決するための手段】
【００１０】
本発明の第１の態様によれば、円筒状の缶胴に沿って延在するシームを溶接するために用いられる溶接ステーションを制御するための装置が提供され、前記溶接ステーションは、一対の溶接ロールと、溶接中に所望のシリンダオーバーラップを生じさせるための較正ユニットとを含み、前記較正ユニットは、少なくとも３つの異なる調整軸に沿って調整可能である。前記装置は、溶接されているシームを監視して、前記シームの長さに沿った一連の所定のポイントにおける溶接厚さを示す電気信号を提供するように構成された溶接モニタと；前記電気信号を受信し、且つ、前記信号に応答して１以上の制御電気信号を生成するように構成されたコントローラと；前記較正ユニットに接続されるための、又は前記較正ユニットの一部を形成するための複数の調整機構と、を備え、前記調整機構は、前記制御電気信号（複数可）を受信するように構成され、且つ、前記制御電気信号（複数可）に応答して前記較正ユニットを前記３つの調整軸のうちの１以上に対して調整して、前記所望のシリンダオーバーラップ及び／又は所望の溶接品質を提供するように構成されている。
【００１１】
前記溶接厚さを示す信号は、前記溶接ロールの一方又は両方の回転軸の変位を示す信号から導出され得る。前記溶接厚さを示す信号は、前記溶接ロールの偏心、及び／又は、前記溶接ロールと溶接されるべきシリンダとの間に位置する消耗ワイヤのプロファイルの変化に対する補償を含み得る。
【００１２】
前記溶接厚さを示す信号は、一連の溶接された缶胴における前記一連の所定のポイントの平均又はその他の統計的に導出された溶接厚さを示す信号であり得る。
【００１３】
少なくとも４つの所定のポイントが連続して存在し得る。これらは、任意選択的に、前記シリンダのリーディング端、前記シームの長さの中央、前記シリンダのトレーリング端、及びフリップ位置を含む。
【００１４】
前記電気信号は、さらに、前記シームの長さ全体に沿って平均化された溶接厚さを示し得る。
【００１５】
前記コントローラは決定システムを含み得、前記決定システムは、前記電気信号と、前記調整機構のうちの１以上の現在位置とを含む入力を受信するように構成され、且つ、前記調整機構のうちの１以上に対する必要な調整を出力として計算するように構成されている。前記決定システムは、前記一連の所定のポイントの各々における溶接厚さを、そのポイントの目標溶接厚さと比較し、前記所定のポイントの１以上が前記目標溶接厚さから逸脱している場合にその逸脱を修正するために必要な調整を計算するように構成され得る。
【００１６】
前記調整機構は、前記制御信号（複数可）に応答して、前記溶接ステーションを通る前記シリンダの移動方向に対する前記較正ユニットのローラの半径方向位置と；各溶接ロールの中心を通る線に垂直な調整軸に沿った、前記較正ユニットの長手方向位置と；前記ローラの半径方向位置及び前記較正ユニットの長手方向位置の組合せと、を調整し得る。
【００１７】
前記調整機構の１つが、前記制御信号（複数可）に応答して、前記較正ユニットの鉛直方向位置を、各溶接ロールの中心を通る線に平行な調整軸に沿って調整し得る。
【００１８】
前記調整機構の１つが、前記較正ユニットのローラの前記半径方向位置を、符号化された（ｅｎｃｏｄｅｄ）モータ及びギアボックスを用いて動作可能な協働二重ねじシステムを使用して調整するように構成され得る。
【００１９】
前記コントローラは、閉ループコントローラ、例えば比例−積分−微分コントローラであり得る。
【００２０】
本発明の第２の態様によれば、上述の第１の態様の装置を含む溶接ステーションが提供され、従って、当該ステーションは、所望の溶接品質を維持するための閉ループ制御システムを組み込んでいる。
【００２１】
本発明の第３の態様によれば、円筒状の缶胴に沿って延在するシームを溶接するために使用される溶接ステーションを制御する方法が提供され、前記溶接ステーションは、一対の溶接ロールと、溶接中に所望のシリンダオーバーラップを生じさせるための較正ユニットとを含む。前記方法は、溶接されているシームを監視して、シームの長さに沿った一連の所定のポイントにおける溶接厚さを示す電気信号を提供するステップと；前記溶接されているシームの溶接品質を示す前記電気信号に応答して１以上の制御電気信号を生成するステップと；前記１以上の制御電気信号を、３つの調整軸のうちの１以上に対して前記較正ユニットを調整するように構成された複数の調整機構のうちの１以上に提供し、それにより前記所望のシリンダオーバーラップを生じさせるステップと、を含む。
【００２２】
前記溶接厚さを示す信号は、前記溶接ロールの一方又は両方の回転軸の変位を示す信号から導出され得る。
【００２３】
前記溶接厚さを示す信号は、前記溶接ロールの偏心、及び／又は、前記溶接ロールと溶接されるべきシリンダとの間に位置する消耗ワイヤのプロファイルの変化に対する補償を含み得る。
【００２４】
前記溶接厚さを示す信号は、一連の溶接された缶胴における前記一連の所定のポイントの平均又はその他の統計的に導出された溶接厚さを示す信号であり得る。
【００２５】
４つの所定のポイントが連続して存在し得る、これらは、任意選択的に、前記シリンダのリーディング端、前記シームの中央、前記シリンダのトレーリング端、及びフリップ位置を含む。
【００２６】
電気信号は、さらに、前記シームの全体に沿って平均化された溶接厚さを示し得る。
【００２７】
前記１以上の制御電気信号を生成するステップは、前記調整機構のうちの１以上の位置に関する電気信号及び入力を受信して、前記調整機構のうちの１以上に対する必要な調整を出力として計算するステップを含み得る。
【００２８】
前記１以上の制御電気信号を生成するステップは、一連の所定のポイントの各々における溶接厚さを、そのポイントの目標溶接厚さと比較し、前記所定のポイントの１以上が前記目標溶接厚さから逸脱している場合に、その逸脱を修正するために必要な調整を出力として計算するステップを含む。
【００２９】
前記調整機構は、前記制御信号（複数可）に応答して、前記溶接ステーションを通る前記シリンダの移動方向に対する前記較正ユニットのローラの半径方向位置と；各溶接ロールの中心を通る線に垂直な調整軸に沿った、前記較正ユニットの長手方向位置と；前記ローラの半径方向位置及び前記較正ユニットの長手方向位置の組合せとを調整し得る。
【００３０】
前記調整機構の１つが、前記制御信号（複数可）に応答して、前記較正ユニットの鉛直方向位置を、各溶接ロールの中心を通る線に平行な調整軸に沿って調整し得る。
【００３１】
前記調整機構の１つが、前記較正ユニットのローラの前記半径方向位置を、符号化されたモータ及びギアボックスを用いて動作可能な協働二重ねじシステムを使用して調整し得る。
【００３２】
前記方法は、溶接厚さの閉ループ制御を提供し得る。
【図面の簡単な説明】
【００３３】
【図１】缶製造ラインの溶接ステーションを概略的に示した図である。
【図２】図１の溶接ステーションの構成要素の、較正ユニットを含み溶接ロールが省略された側方斜視図である。
【図３】図２の較正ユニットの、一対の調整可能なローラを含む正面図である。
【図４】図３の較正ユニットの電気機械式駆動ユニットの透視図である。
【図５】図４の電気機械式駆動ユニットの断面側面図である。
【図５ａ】図４の電気機械式駆動ユニットの断面側面図である。
【図６】図１の溶接ステーションの較正ユニット及びサブアセンブリの分解透視図であり、溶接ステーションの３つの軸を示す。
【図７】コンピュータのグラフィカルディスプレイに表示される溶接品質を示した図である。
【図８】コンピュータのグラフィカルディスプレイに表示される溶接厚さ測定値を示した図である。
【図９】溶接ステーションの決定システムを示した図である。
【図１０】第１の溶接厚さ調整例を示した図である。
【図１１】第２の溶接厚さ調整例を示した図である。
【図１２】第３の溶接厚さ調整例を示した図である。
【図１３】第４の溶接厚さ調整例を示した図である。
【図１４】図１の溶接ステーションの動作方法を説明したフロー図である。
【発明を実施するための形態】
【００３４】
本発明の実施形態は、円筒状の缶胴の十分な溶接厚さ及び／又は溶接品質を自動的に維持するために、溶接ステーションの較正ユニットの閉ループ調整を提供することを目的としている。図１は、このような閉ループ制御を実行する溶接ステーションを概略的に示している。この溶接ステーションはＺバー１を含み、Ｚバー１に沿って、丸められた（ｒｏｌｌｅｄ）金属シリンダ２が、一対の対向する溶接ロール３ａ，３ｂに向かって搬送される。上述したように、Ｚバーの役割は、シリンダがＺバーの端部から離れるまでに、シリンダの対向縁をほぼ正しい重ね合わせ構成にすることである。Ｚバーの端部と溶接ロールとの間に較正ユニット４が配置されている。較正ユニット４の役割は、シリンダの重なりを、シリンダ２の円周を微調整することにより制御することである。図面において、溶接ステーションの様々な構成要素が、図の簡略化のため省略されている。
【００３５】
図２及び図３は、較正ユニット４を、予備較正ツール６と共により詳細に示している。予備較正ツール６は、図１では省略されているが、金属シリンダを較正ユニット４及び溶接ロール３ａ，３ｂに向けてガイドすることを補助する。較正ユニットの正面図（図３）に最もよく示されているように、このユニットは、フレーム８に支持された７つのローラ７ａ〜７ｇのセットを含み（しかし、較正ユニットは、図３に示されているよりも少数又は多数のローラを含み得る）、これらのローラは、金属シリンダの移動軸の周囲に分散されるように配置されている。各ローラは、軸を中心とする円に対してほぼ接線方向であり軸を中心に自由に回転可能である。ローラの面は、これらのローラが一緒にほぼ円形の面を画成し、その面で金属シリンダをガイドするように凹状である。
【００３６】
図示されている構成において、ローラのうち５つのローラ７ａ〜７ｅは類似の大きさであるが、２つの上部ローラ７ｆ〜７ｇは、十分なローラを構造体に組み込めるように、より小さくなっている。ローラ７ａ，ローラ７ｃ及びローラ７ｅ〜７ｇは、中心軸に対する半径方向位置が固定されるようにフレームに取り付けられているが、残りの２つのローラ７ｂ，７ｄは、電気機械式駆動ユニット（図の全体において参照符号９ａ，９ｂで示されている）を含む調整機構を用いて半径方向に調整可能である。
【００３７】
駆動ユニット９ａ，９ｂは、各々、ほぼＬ字状に形成され、以下の３つの主要な構成要素を含む。すなわち、
（１）取り付けブロック、ねじ及びスリーブ（小さい増分調整を用いて必要な調整範囲を達成するための協働ねじ山を有する）を含む機械的システム１９である。この機械的システムはまた、外部の電子ブレーキの必要性を排除し、生産条件及び予期せぬ負荷（例えば、破損した缶胴）下でも位置を失わずに適合するように設計されている。
（２）アンギュラギアボックス２０であり、モータシャフトから機械システムへの動きを伝達し、低減し、尚且つ、システム全体のフットプリントを最小限に抑える。
（３）エンコーダを有するサーボモータを含むシステム２１。
【００３８】
図４及び図５は、ほぼＬ字形状の駆動ユニットのうちの一方である９ｂを、より詳細に示している。駆動ユニット９ｂは、較正ユニット４のローラうちの１つである７ｄに取り付けられている。第２駆動ユニット９ａが、図４及び図５に示されている駆動ユニット９ｂとほぼ同一であることが理解されよう。  
【００３９】
図４は、較正ユニット９ｂの例示的な機械システム１９、ギアボックス２０及び符号化されたサーボモータシステム２１を示し、図５はその断面側面図である。図５ａは機械システム１９の拡大断面図であり、この機械システム１９は、内ねじを有するハウジング１９０、第１のねじ山付きねじ１９２、ディスクばね１９４、波状ワッシャ１９６、及び、ねじ山付きスリーブ１９８を含む。第１のねじ山付きねじ１９２は、ハウジング１９０の内部ねじ山にねじ込まれ、ねじ山付きスリーブ１９８は、第１のねじ山付きねじ１９２の内部に少なくとも部分的にねじ込まれている。第１のねじ山付きねじ１９２はギアボックス２０に接続されており、上述したように、ねじ山付きスリーブ１９８に、較正ローラ７ｄを半径方向内向き又は半径方向外向きに調整するように作用する。一実施形態において、第１のねじ山付きねじ１９２とねじ山付きスリーブ１９８とは、異なるピッチを有する。
【００４０】
この協働二重ねじ構成により、機械システム１９が較正ローラ７ｂ，７ｄの位置を微細調整することが可能になっている。さらに、サーボモータシステム２１のエンコーダ（符号化素子）が、較正ローラ７ｂ，７ｄの、デフォルト位置又はスタート位置に対する現在の位置がわかるように位置情報を提供する。例えば、予期しない負荷が発生した場合、ローラ７ｂ，７ｂはコンプライアンスに従ってディスクばね１９４により元の位置に戻され（すなわち、ディスクばね１９４が過負荷コンプライアンスを提供する）、同時に、反バックラッシュ波状ワッシャ１９６が、ねじ山付きねじ１９２及びねじ山付きスリーブ１９８のねじ山を互いに対して維持する。この図には示されていなが、さらなる実施形態において、ローラ７ｂ，７ｄのコンプライアンスを、空気圧を用いて保証してもよい。
【００４１】
上述の３つの部材構成要素１９，２０，２１を用いて、Ｌ字型駆動ユニット９ａ，９ｂの各々が、較正ユニット４の特定のローラ７ｂ及び７ｄをシリンダ２の長手方向軸に対して内側又は外側に移動させ、それによりシリンダ縁の重なり程度を調整するように構成されている。
【００４２】
しかし、さらに、溶接ステーションを、較正ユニット４の長手方向位置又は鉛直方向位置を調整するように構成し得る。この調整は、図１に示されている、溶接ロールを通る中心線ＣＬに関して行われる。
【００４３】
図６に示されているように、長手方向サブアセンブリ２４及び鉛直方向サブアセンブリ２５を含むさらなる調整機構が溶接ステーション内に配置され、これらのサブアセンブリは、それぞれ、較正ユニット４の、溶接ロール３ａ，３ｂの中心線ＣＬ（図１に示す）に対する長手方向位置及び鉛直方向位置を調整するためにある。再び図１を参照すると、較正ユニット４は、外側（上側）及び内側（下側）の溶接ロール３ａ，３ｂを含む機構１６に近づけられ、若しくは機構１６から遠ざけられることができ、且つ／又は、溶接ステーションの長手方向軸に対して鉛直方向に再配置され得る。
【００４４】
一例において、鉛直方向サブアセンブリ２５及び長手方向サブアセンブリ２４は、各々、サーボモータ及びギアボックス（図示せず）を含み得、長手方向サブアセンブリ２４は、さらに、１以上の空圧シリンダ２８を含み得る。図６の分解図においては別々に図示されているが、鉛直方向サブアセンブリ２５と長手方向サブアセンブリ２４は、両方共、同じキャリッジ２７に接続されている。キャリッジ２７は較正ユニット４に取り付けられている（すなわち、連結されている）か、又は、較正ユニット４の一部を形成している。こうして、鉛直方向サブアセンブリ２５及び長手方向サブアセンブリ２４は、キャリッジ２７を溶接ロール３ａ，３ｂの中心線ＣＬに対して長手方向又は鉛直方向に移動させるように動作可能である。
【００４５】
代替的な実施形態において、鉛直方向サブアセンブリ２５は、溶接ステーションのフットプリントを低減するために、直角に配置されたギアボックスを組み込み得る。
【００４６】
図６から、較正ユニット４が、以下のような異なる３つの調整軸に沿って調整され得ることが理解されよう。すなわち、
軸１：較正ユニット又はツール４の直径（すなわち、較正ローラ７ａ〜７ｆにより形成される円の直径）に関する軸と、
軸２：較正ユニットの長手方向位置（すなわち、図１に示した溶接ロール３ａ，３ｂを通る中心線ＣＬに対して直交する位置）に関連する軸と、
軸３：較正ユニット４の鉛直方向位置（すなわち、溶接ロール３ａ，３ｂの中心線ＣＬに対して平行な位置）に関連する軸と、である。
【００４７】
これら３つの調整軸のうちの１以上に沿って較正ユニット４を調整した結果を、以下にさらに説明する。
【００４８】
較正ユニット４の調整は、コントローラ１２により生成された制御信号により実施される。再び図１及び図２を参照すると、各駆動ユニット９ａ，９ｂは、コントローラ１２から制御信号１１を受信するための入力部１０ａ，１０ｂを有する。同様に、長手方向サブアセンブリ２４及び鉛直方向サブアセンブリ２５は、各々、コントローラ１２から１以上の制御信号を受信するための１以上の入力部（図示せず）を有する。コントローラ１２は、データ及びプログラムコードを記憶するための１以上のプロセッサ及びメモリ１３を含むコンピュータである。そして、コントローラ１２は、溶接品質を示す電気信号５を溶接モニタ１５から受信するための入力部１４を有する。この実施形態において、溶接品質の表示は、溶接厚さの表示である。
【００４９】
溶接モニタ１５は、外側（上側）及び内側（下側）の溶接ロール３ａ，３ｂを収容している機構１６に接続されている。溶接モニタは、溶接厚さと同様に、欧州特許出願公開第０４６５０３８号明細書に記載されているような品質係数（ＱＣ）を監視する。しかし、このパラメータは、本明細書に記載するフィードバック制御システムにおいては用いられない。溶接モニタ１５により生成されたデータは、また、図７に示されているように、コンピュータのグラフィカルディスプレイ１７にも提供される。この図において、上側のトレースは溶接厚さを示し、下側のトレースは、シリンダ長さに対する溶接パワー（ｙ軸）を示し、これらは両方共、シリンダ長さ（ｘ軸）に関するものである。横線２２はプロセスウィンドウを表し、縦線２３は、シリンダ２のリーディング（先行）端（右側）ＬＥ、及び、トレーリング（後続）端（左側）ＴＥ（図１に示されている）を表す。図示されているトレースは、連続した多数の缶胴にわたって得られた平均厚さに対応し、各端部におけるディップ（急降下）は、（平均的な）缶胴のリーディング縁及びトレーリング縁を示している。
【００５０】
さらに、溶接ロール３ａ，３ｂを含む機構１６について考察すると、この機構内で、内側溶接ロール３ｂの位置は、内側溶接ロール３ｂの回転軸に対して固定されており、一方、外側溶接ロール３ａには、ばねが取り付けられ、このばねが、外側溶接ロール３ａの回転軸に対する相対移動を可能にしている。従って、外側溶接ロール３ａは、溶接されている缶胴に対して上下に移動できる（ばねが、比較的大きい下向きの力を外側溶接ロール３ａに加えてロールを缶胴に押し付けることに留意されたい）。また、機構１６は、線形可変差動変圧器（ＬＶＤＴ）も含み、ＬＶＤＴは、外側溶接ロールの、缶胴に近づき又は缶胴から遠ざかる動きを検出するように、すなわち、外側溶接ロール３ａの位置を検出するように構成されている。ＬＶＤＴは電圧信号を生成し、この電圧信号は信号１８内で溶接モニタに提供される。
【００５１】
ＬＶＤＴにより提供される電圧信号は、それ自体に誤差が生じるであろうから、溶接厚さの正確な測定値を決定するのに十分ではないであろう。誤差の原因は、ａ）外側溶接ロールの偏心（すなわち、溶接ロールが完全な円形ではない）、及び、ｂ）溶接ロールと缶胴との間を通過する銅線のプロファイルの変化である。従って、機構１６は、溶接ロールの偏心及び銅線のプロファイルの変化を検出するための多数のセンサ（図示せず）を含む。検出されたデータは信号１８にて溶接モニタ１５に送信される。溶接モニタにより採用されるアルゴリズムは、偏心及びワイヤプロファイルデータをＬＶＤＴ信号の出力から（適切なスケーリング及び／その又は他の補償も含んで）計算して、補正されたＬＶＤＴ信号を得る。この信号は、一連の連続した缶胴（例えば、６個〜５０個）に関して平均化されて、コンピュータのグラフィカルディスプレイ１７の上部トレースに表示される。
【００５２】
図８に示されているように、コンピュータのグラフィカルディスプレイ１７に表示された溶接厚さのトレースは、一連の異なる測定値に基づいて分析される。一実施形態において、以下のような５つの測定値がある。すなわち、
１．図７に線２３で示されているような、シリンダのリーディング端（すなわち、右／前側の領域）における溶接厚さ、
２．シリンダの中央部（すなわち、溶接部に沿った約半分）における溶接厚さ、
３．図７に線２３で示されているような、シリンダのトレーリング端（すなわち左側の領域）における溶接厚さ、
４．「フリップ」（“ｆｌｉｐ”）（すなわち、トレーリング端と、トレーリング縁から約１７ｍｍとの間の点、例えば、トレーリング端から１２ｍｍ〜２０ｍｍ後退した点）における溶接厚さ、
５．総平均（すなわち、溶接部の全長にわたる平均溶接厚さ）、である。
【００５３】
非限定的な一例において、シリンダのトレーリング縁は、シリンダ全長の０％（ゼロ）の位置とみなすことができ、シリンダのリーディング縁は、シリンダ全長の１００％の位置とみなし得る。シリンダのリーディング縁は、シリンダの最初の部分が溶接ロールに入る部分として定義され得る。トレーリング端フリップ（上述の測定ポイント４）は、例えば、シリンダ全長の２．５％〜１０％の間で測定され、トレーリング端領域は、例えば、シリンダ全長の１５％〜３０％の間で測定され、中間ポイントは、例えば、シリンダ全長の４０％〜６０％の間で測定され、リーディング端領域は、例えば、シリンダ全長の７０％〜９７．５％の間で測定され得る。
【００５４】
上述の５つの測定値が、一連の（例えば、７個〜１０個の）シリンダに関する圧延平均値を表す。トレース上のこれらの４つの所定のポイント又は領域での溶接厚さに、溶接厚さの総平均を加えたものを、特定の用途のための溶接厚さ目標値（図８に横方向の点線Ｔで示されている）と比較する。すなわち、
溶接厚さ目標値＝溶接圧力下の板厚×マッシュ目標値
マッシュ目標値＝元の板厚の１．４〜１．５倍。
【００５５】
溶接圧力下の板厚（溶接ステーションの試運転中に特定の板材について測定され得る）が用いられるのであり、これから入って来る（ｉｎｃｏｍｉｎｇ）板の厚さが用いられるのではない。５つの測定ポイントにおける溶接厚さのトレースの分析は、溶接板厚さ目標値から±１５μｍの許容差を含む。この許容差が、図８の上限線及び下限線により表されている。
【００５６】
溶接厚さ目標値を計算するために、コントローラ１２により実行されるフィードバック制御方法は、板厚、溶接圧力、溶接許容範囲（ｗｅｌｄ  ｌａｔｉｔｕｄｅ）（熱溶接と冷溶接との差）、所望の重なり、及び、所望の材料マッシュ（溶接前と溶接後での材料の厚さの変化）を考慮に入れている。コントローラ１２は、シームにおける上述の４つの所与のポイント（すなわち、リーディング端、中央、トレーリング端及びフリップ）のうちの１つにおける目標溶接厚さを、目標総平均溶接厚さと共に記憶する。缶胴に沿ったテーパ状の重なりの結果として、溶接厚さが溶接シームに沿って変化し得ることが理解されるであろう（これは、ゼロか、又はゼロではない値であり得る）。
【００５７】
コントローラ１２は、記憶された目標値データと、溶接モニタ１５から受信した、上述の４つのポイントにおける溶接厚さに関するデータとの間で比較を実行し、その値に総平均値を加えるように構成されている。そして、その結果得られた差分値が、溶接ステーションの調整機構（すなわち、較正ユニット４の電気機械式駆動ユニット９ａ，９ｂ、長手方向サブアセンブリ２４、及び、鉛直方向サブアセンブリ２５）を制御するための制御信号を生成するために、必要に応じてさらに処理される。このようにして、コントローラ１２は、比例−積分−微分（ＰＩＤ）コントローラとして動作し得る。
【００５８】
上述の調整機構９ａ，９ｂ，２４，２５のための制御信号をコントローラ１２により生成する方法が、図９に示されている決定システム２６により表されている。コントローラ１２の決定システム２６は、以下の入力を受信する。すなわち、
−上述した溶接厚さの５つの測定値（すなわち、リーディング端、中央、トレーリング端、フリップ、及び総平均の値）；これらの入力は溶接モニタ１５から受信されて全体にわたり平均化され、総平均値がコントローラ１２により計算される。
−上述のように計算された、特定の用途のための溶接厚さ目標値であり、許容差（すなわち上限値及び下限値）を含む；
−現在及びホームのツール直径（すなわち、較正ユニット４の直径）であり、調整可能なローラ７ｂ、７ｄの現在の位置、及びそれらのそれぞれの「ホーム」位置（較正ユニット４の電気機械式駆動ユニット９ａ、９ｂにより調整される前のデフォルトのローラ７ｂ、７ｄの位置）により決定される；
−現在及びホームのツールの長手方向位置、すなわち、溶接ステーションの長手方向軸上の較正ユニット４の現在の位置、及び、長手方向サブアセンブリ２４による調整前の較正ユニット４のデフォルトの「ホーム」位置；
−現在及びホームのツールの鉛直方向位置、すなわち、溶接ステーションの鉛直方向軸上の較正ユニット４の現在の位置、及び、鉛直方向サブアセンブリ２５による調整前の較正ユニット４のデフォルトの「ホーム」位置；
−任意選択的に、その他の機械設定（例えば、平坦化された銅線の幅を含み得る）、である。
【００５９】
再び図６を参照すると、先に概説したように、ツール（すなわち較正ユニット４）の直径、ツールの長手方向位置及びツールの鉛直方向位置は、それぞれ、溶接ステーションの３つの調整軸、すなわち、第１軸、第２軸及び第３軸を表しているとみなされ得る。
【００６０】
図９に示されているように、決定システム２６が、上述した入力の１以上を利用して出力を生成する。出力は、溶接厚さ補正を含み、この溶接厚さ補正は、４つの測定ポイントのうちの１以上の測定ポイントにおける現在の溶接厚さ、及び／又は総平均溶接厚さを、この測定に関する目標溶接厚さに向かって、上限値及び下限値を考慮して調整するために必要である。一実施形態において、溶接厚さ補正は１以上のアルゴリズムを用いて計算される。決定システム２６による出力としての溶接厚さ補正は、較正ユニット４の電気機械式駆動ユニット９ａ，９ｂ及び長手方向サブアセンブリ２４の１以上に関して、コントローラ１２により、制御信号の生成を介して実行される。
【００６１】
代替的に又は追加的に、決定システム２６の出力は、押し出し不均衡補正を含み得、この押し出し不均衡補正は、コントローラ１２により、鉛直方向サブアセンブリ２５のための制御信号の生成を介して実行される。押し出し不均衡は、入ってくる（ｉｎｃｏｍｉｎｇ）金属板の材料特性（異方性）の変動により生じ得る。入ってくるシリンダが溶接ロール３ａ，３ｂに完全に位置合わせされている場合、シリンダと外側溶接ロール３ａとの接触面積と、シリンダと内側溶接ロール３ｂとの接触面積とは実質的に同一である。従って、シリンダの外面の押し出しと内面の押し出しとは実質的に同一になる。幾つかの実施形態においては、外側溶接ロール３ａは、その寸法の結果としてシリンダとの接触面積が大きくなることが理解されよう。従って、較正ユニット４を溶接ロール３ａ，３ｂに対して上方に移動させることにより、シリンダの内面上での金属板の押し出しが大きくなり、一方、較正ユニット４を溶接ロール３ａ，３ｂに対して下方に移動させることにより、シリンダの外面上での金属板の押し出しが大きくなる。較正ユニット４を、上述したような調整軸３に沿って調整することにより、不均衡が生じた場所でのシリンダ外面とシリンダ内面との押し出しをリバランスさせることが可能である。
【００６２】
図１０〜図１３は、３つの調整軸１，２，３（図６に示す）のうちの１以上の例示的な調整を示しており、この調整は、決定システム２６の出力（複数可）に基づいてコントローラ１２により実行され得る。
【００６３】
軸１（すなわち較正ユニット４の直径）の調整は、溶接のリーディング端及びトレーリング端の両方の溶接厚さに影響を与える。しかし、トレーリング端への影響の方がより大きくなるであろう、これを考慮すると、ツール直径の調整はトレーリング端にのみ影響を与える（すなわち、リーディング端への影響は無視できる程度である）とみなし得る。同様に、軸２の調整（すなわち、較正ユニット４の長手方向位置）は、リーディング端及びトレーリング端の両方の溶接厚さに影響を与える。しかし、この場合、主な影響を受けるのはリーディング端であり、これを考慮すると、ツールの長手方向位置の調整はリーディング端にのみ影響を与える（すなわち、トレーリング端への影響は無視できる程度である）とみなし得る。
【００６４】
換言すれば、図１０〜図１３に示した例において、軸１の調整がトレーリング端及びフリップを制御し、軸２の調整がリーディング端を制御するとみなし得る。このように考えると、簡単なブール制御システムを実現できる。
【００６５】
必要な調整の決定が、ＰＩＤを組み込んだファジィ論理コントローラなど（図示せず）を使用して、代替的又は追加的に行われ得ることが理解されよう。ファジィ論理コントローラは、０〜１の範囲できっかり０でも１でもないメンバーシップ度を提供するメンバーシップ関数を可能にし、例えば、一方の軸に０．８５（８５％）の調整を行い、他方の軸に０．１５（１５％）の調整を行うことを可能にするであろう。
【００６６】
図１０〜図１３に示されている例において、必要な調整量は以下のように決定される。
【００６７】
リーディング端及びトレーリング端の両方における決定された溶接厚さが特定の用途のための許容限界内にある場合、調整する必要は全くない。
【００６８】
リーディング端及びトレーリング端の両方が、これらのポイントの目標溶接厚さよりも大きいか又は小さい場合、軸１（すなわち較正ユニット４の直径）に沿って調整が行われる。
【００６９】
リーディング端のみが許容限界外にある場合、軸２（すなわち、較正ユニット４の長手方向位置）に沿って調整が行われる。
【００７０】
トレーリング端のみが許容限界外にある場合、軸１に沿って調整が行われる。
【００７１】
リーディング端及びトレーリング端の両方が許容限界外にあるが、その方向性が反対である（すなわち、一方が上方許容限界よりも大きく、他方が下方許容限界よりも小さい）場合、２つの調整（一方は軸１に沿った調整、他方は軸２に沿った調整）が行われる。この場合、１つの調整のみを行うと、ほとんどの場合、他方の端の誤差が増大する。例えば、トレーリング端が許容限界よりも大きく、リーディング端が許容限界よりも小さい場合、軸１のみが調整されると、トレーリング端は目標値に近づくが、リーディング端の誤差はそのままであるか、又はわずかに増大するであろう。同様に、軸２のみが調整される場合、リーディング端は目標に近づくが、トレーリング端の誤差はそのままであるか、又はわずかに増大するであろう。
【００７２】
フリップのみが許容限界外にある場合、基本的に、較正ユニット４の直径がきつすぎるので、軸１の調整が行われる。
【００７３】
中間ポイントのみが許容限界外にある場合、その他のツールパラメータをチェックする必要がある。
【００７４】
リーディング端、中央、トレーリング端、フリップが全て許容限度内にあれば、シーム全体の長さの平均値も許容限界範囲内になることが理解されよう。
【００７５】
図１０に示されている例において、溶接厚さ目標値が２００μｍであり、一方、溶接モニタ１６から受信した実際の溶接厚さ測定値、及び決定システム２６への入力は以下の通りである。すなわち、
１．リーディング端（１）１８０μｍ
２．中央（２）１８０μｍ
３．トレーリング端（３）１８０μｍ
４．フリップ（４）１８０μｍ
５．総平均（５）１８０μｍ。
【００７６】
さらに、較正ユニット４（軸１）、長手方向サブアセンブリ２４（軸２）及び鉛直方向サブアセンブリ２５（軸３）のための現在のツール位置が、「ホーム」位置、すなわちデフォルト位置として決定システム２６に入力される。
【００７７】
上記の入力に基づくと、測定ポイント１〜４での実際の溶接厚さ及び総平均は小さ過ぎ、許容差（すなわち、上限値が２１５μｍ、下限値が１８５μｍ）の範囲内にはない。実際の溶接厚さを目標値と一致させるために、すなわち、偏差を修正するためには、ツール直径（軸１）を低減しなければならない。ツール直径を低減すると、シリンダ縁の重なりが増大するため、より多くの材料が溶接部に押し込まれて溶接厚さが増大することが理解されよう。
【００７８】
直径の低減はコントローラ１２により実行され、これは、較正ユニット４位置（軸１）のローラ７ｂ，７ｄの位置を、電気機械式駆動ユニット９ａ，９ｂを用いて「ホーム」位置から調整することにより行われる。この例においては、現在の「ホーム」位置からの必要な調整は、以下のように計算される。すなわち、
［（溶接厚さ目標値−実際の溶接厚さ）／２］／０．２＝
［（２００−１８０）／２］／０．２＝５０μｍ。
式中、０．２は、この例において、相関係数又は転位係数を表す。上記の調整が、較正ユニット４の調整可能なローラ７ｂ、７ｄの位置に関連しており、その調整が、較正ユニット４の直径（すなわち円筒状の缶胴が通過する円形の通路の直径）を増減させるように作用することが理解されよう。しかし、溶接厚さに関して、溶接モニタ１６により供給される測定値は、外側溶接ロール３ａの検出された鉛直方向位置に基づくものである。この例においては、相関係数０．２（±１０％）が、鉛直方向の変位（すなわち溶接厚さ）の変動を円形の変位（すなわちツール直径調整）に転位又は相関させることが分かっている。
【００７９】
従って、再び図３を参照すると、較正システムの２つの調整可能なローラ７ｂ，７ｄのそれぞれを、５つの測定の全てに関して目標溶接厚さを達成するために、５０μｍだけ内側に（すなわち、シリンダの長手方向軸に向かって）移動させなければならない。図１０の例においては、他の２つの軸２，３を調整する必要はない。
【００８０】
図１１に示されている例においても、溶接厚さ目標値は２００μｍであり、一方、溶接モニタ１６から受信した実際の溶接厚さの測定値及び決定システム２６への入力は以下の通りである。すなわち、
１．リーディング端（１）２２０μｍ
２．中央（２）２２０μｍ
３．トレーリング端（３）２２０μｍ
４．フリップ（４）２２０μｍ
５．総平均（５）２２０μｍ。
【００８１】
この場合も、較正ユニット４（軸１）、長手方向サブアセンブリ２４（軸２）及び鉛直方向サブアセンブリ２５（軸３）のための現在のツール位置が、「ホーム」位置、すなわちデフォルト位置として決定システム２６に入力される。
【００８２】
上記の入力に基づくと、測定ポイント１〜４での実際の溶接厚さ及び総平均は大き過ぎ、許容差（すなわち、上限値が２１５μｍ、下限値が１８５μｍ）の範囲内にはない。実際の溶接厚さを目標値と一致させるためには、ツール直径（軸１）を増大しなければならない。ツール直径を増大すると、シリンダ縁の重なり程度が低減するため、溶接部に押し込まれる材料がより少なくなり、溶接厚さが低減することが理解されよう。
【００８３】
直径の増大は、コントローラ１２により、電気機械式駆動ユニット９ａ，９ｂを用いて較正ユニット４位置（軸１）のローラ７ｂ，７ｄの位置を「ホーム」位置から調整することにより実行される。この例においては、現在の「ホーム」位置からの必要な調整は、以下のように計算される。すなわち、
［（溶接厚さ目標値−実際の溶接厚さ）／２］／０．２＝
［（２００−２２０）／２］／０．２＝−５０μｍ。
【００８４】
従って、再び図３を参照すると、較正システムの２つの調整可能なローラ７ｂ，７ｄの各々を、５つの測定の全てに関して目標溶接厚さを達成するために、５０μｍだけ外側に（すなわち、シリンダの軸から離れるように）移動させなければならない。図１１の例においては、他の２つの軸２，３に対する調整は必要ない。
【００８５】
図１２に示されている例においても目標溶接厚さは２００μｍであるが、溶接モニタ１６から受信した実際の溶接厚さ測定値と決定システム２６への入力は以下の通りである。すなわち、
１．リーディング端（１）１８０μｍ
２．中央（２）２００μｍ
３．トレーリング端（３）２００μｍ
４．フリップ（４）２００μｍ
５．総平均（５）１９５μｍ。
【００８６】
この場合も、較正ユニット４（軸１）、長手方向サブアセンブリ２４（軸２）及び鉛直方向サブアセンブリ２５（軸３）のための現在のツール位置が、「ホーム」位置、すなわちデフォルト位置として決定システム２６に入力される。
【００８７】
上記の入力に基づくと、測定ポイント１（リーディング端）での実際の溶接厚さは小さ過ぎ、従って、測定された総平均値（５）も小さすぎる。総平均値は許容範囲（すなわち、上限値が２１５μｍ、下限値が１８５μｍ）内にあるが、リーディング端測定値（ポイント１）は許容範囲内にはない。残りの測定ポイント２〜３は目標厚さに適合している。
【００８８】
この場合、実際の溶接厚さを目標値に一致させるためには、ツールの長手方向位置（軸２）を増大しなければならない。すなわち、較正ユニット４を、長手方向サブアセンブリ２４により、溶接ロール３ａ，３ｂを垂直に通る中心線ＣＬ（図１を参照）から、さらに離れた位置に移動させなければならない。較正ユニット４と溶接ロール３ａ，３ｂとの間の長手方向の距離を増大するとオーバーラップが増大し、それにより溶接厚さが増大する。これは、シリンダがＺバーにより支持されていない距離がより大きくなり、これにより、より多くの材料がオーバーラップに押し込まれるスペースが提供されるからである。これとは反対に、較正ユニット４を長手方向において中心線ＣＬに近づけると、このスペースのより多くが削減され、従って、オーバーラップが減少する（又は少なくとも増大しない）。
【００８９】
長手方向距離の増大は、コントローラ１２により「ホーム」位置から長手方向サブアセンブリ２４（軸２）を用いて「ホーム」位置から、較正ユニット４を調整することにより実行される。この例において、現在の「ホーム」位置からの必要な調整は、以下のように計算される。すなわち、
［（溶接厚さ目標値−実際の溶接厚さ）］／０．２＝
［（２００−１８０）］／０．２＝１００μｍ。
【００９０】
従って、再び図６を参照すると、目標溶接厚さを５つの測定の全てに関して達成するためには、較正ユニット４を長手方向サブアセンブリ（軸２）により１００μｍだけ移動させなければならない。図１１の例においては、他の２つの軸１，３に対する調整は必要ない。
【００９１】
図１３に示されている例においても溶接厚さ目標値は２００μｍであるが、溶接モニタ１６から受信した実際の溶接厚さの測定値及び決定システム２６への入力は以下の通りである。すなわち、
１．リーディング端（１）１８０μｍ
２．中央（２）２００μｍ
３．トレーリング端（３）２２０μｍ
４．フリップ（４）２２５μｍ
５．総平均（５）２０７μｍ。
【００９２】
この場合も、較正ユニット４（軸１）、長手方向サブアセンブリ２４（軸２）及び鉛直方向サブアセンブリ２５（軸３）に関する現在のツール位置が、「ホーム」位置、すなわちデフォルト位置として決定システム２６に入力される。
【００９３】
上記の入力に基づくと、測定ポイント１（リーディング端）での実際の溶接厚さは小さ過ぎ、一方、トレーリング端（３）及びフリップ（４）においては実際の溶接厚さが大きすぎる。従って、測定された総平均値（５）も大きすぎる。総平均値は許容範囲（すなわち、上限値が２１５μｍ、下限値が１８５μｍ）内にあるが、リーディング端（１）、トレーリング端（３）及びフリップ（４）の測定値は許容範囲内にはない。残りの測定ポイント２は目標厚さに適合している。
【００９４】
この場合、様々な測定ポイントにおける実際の溶接厚さを目標値に一致させるために、複数の調整を組み合わせる必要がある。ツール直径（軸１）を増大する必要があり、且つ、ツールの長手方向位置（軸２）を増大する必要がある。
【００９５】
直径の増大は、コントローラ１２により、電気機械式駆動ユニット９ａ，９ｂを用いて較正ユニット４位置（軸１）のローラ７ｂ，７ｄの位置を「ホーム」位置から調整することにより実行される。この例において、「ホーム」位置からの必要な調整は、−５０μｍと計算される。従って、再び図３を参照すると、５つの測定の全てに関して目標溶接厚さを達成するためには、較正システムの２つの調整ローラ７ｂ，７ｄの各々を５０μｍだけ外側に（すなわちシリンダ軸から離れるように）移動させなければならない。
【００９６】
較正ユニット４（軸２）の、溶接ローラ３ａ，３ｂからの長手方向距離の増大は、コントローラ１２により、長手方向サブアセンブリ２４（軸２）を用いて較正ユニット４を「ホーム」位置から調整することにより行われる。この例において、現在の「ホーム」位置からの必要な調整は１００μｍであると計算されている。
【００９７】
従って、再び図６を参照すると、目標溶接厚さを５つの測定の全てに関して達成するためには、較正ユニット４を長手方向サブアセンブリ（軸２）により１００μｍだけ移動させなければならない。図１３の例においては、他方の軸３に対する調整は必要ない。
【００９８】
３つの軸（軸１，軸２，軸３）の全てに対する調整又はその任意の組合せが、特定の状況に応じて必要な場合があることが理解されるであろう。一実施形態において、軸３に対する調整が、軸１及び軸２に対する調整とは独立して実行され得る。一実施形態において、軸１，軸２，軸３うちの２つ以上に対する必要な調整が同時に行われ得る。
【００９９】
図１４は、上述の溶接ステーションで用いられる方法を示すフロー図である。この方法の第１ステップ（Ｓ１）において、溶接モニタ１５が、シームの長さに沿った所定のポイントにおける溶接厚さを示す電気信号５をコントローラ１２に提供する。上述の段落において論じたように、この電気信号５に基づいてコントローラ１２は、１以上の制御電気信号１１を生成する（Ｓ２）。次いで、調整機構（すなわち、電気機械式駆動ユニット９ａ、９ｂ、長手方向サブアセンブリ２４、鉛直方向サブアセンブリ２５）の１以上に制御電気信号１１が供給される（Ｓ３）。電気機械式駆動ユニット９ａ，９ｂ、長手方向サブアッセンブリ２４及び鉛直方向サブアセンブリ２５に提供された電気信号１１と、コントローラにより提供される閉ループ制御との結果として、所望のシリンダオーバーラップが溶接中に維持される（Ｓ４）。
【０１００】
従って、このシステムは、較正ユニット４を３つの異なる方向に調整できる閉ループシステムである。第１に、較正ローラ７ｂ，７ｄがシリンダ軸に対して内外に移動されて、シリンダ縁のオーバーラップ及びツールの直径（第１軸）を調整する。第２に、較正ユニット４自体が溶接ロール３ａ，３ｂに対して長手方向に移動され得る。第３に、較正ユニット４は鉛直方向に調整され得る。所望の溶接品質（厚さ）を達成及び維持するために、前記調整のうちの１以上が、溶接シームに沿った所定のポイントにおける溶接厚さの測定値に基づいて用いられ得る。
【０１０１】
当業者には、上述の実施形態に対するさらなる修正が、本発明の範囲から逸脱せずに行われ得ることが理解されよう。例として、溶接モニタが溶接厚さの測定値に依存せずに、品質係数（ＱＣ）をコントローラに提供し、コントローラが所望のＱＣに対する誤差を決定してもよい。もちろん、コントローラは、測定された厚さ、電力及び／又は電圧、並びに、場合により、その他のパラメータの組合せを使用し得る。
【０１０２】
コントローラ１２と溶接モニタ１５とを別々の構成要素として説明してきたが、これらを単一の構成要素に統合してもよい。同様に、コントローラ及び溶接モニタの一方又は両方を、溶接ロール及びＬＶＤＴを含む機構１６に組み込んでもよい。
【０１０３】
溶接厚さを測定するために、上側溶接ロールの偏差の検出に依存せずに、その他の方法、例えば、レーザ走査、超音波測定などを用いてもよい。
【０１０４】
較正ユニット、及び／又は溶接ステーションのさらなる調整を、追加の調整機構を用いて実行してもよい。
【図１】
2022500251.tif 000003
【図２】
2022500251.tif 000004
【図３】
2022500251.tif 000005
【図４】
2022500251.tif 000006
【図５−５ａ】
2022500251.tif 000007
【図６】
2022500251.tif 000008
【図７】
2022500251.tif 000009
【図８】
2022500251.tif 000010
【図９】
2022500251.tif 000011
【図１０】
2022500251.tif 000012
【図１１】
2022500251.tif 000013
【図１２】
2022500251.tif 000014
【図１３】
2022500251.tif 000015
【図１４】
2022500251.tif 000016
【国際調査報告】
2022500251.tif 000017
2022500251.tif 000018